(57)【要約】【課題】ゴムダンパを用いなくても、電子機器内の主要構造物への振動伝播を好適に抑制できるようにする。【解決手段】シャーシ１と、シャーシ１に結合する少なくとも３つの固定支点部を有する剛性マウント部材３とを備える。剛性マウント部材３は、ベースユニット２を固定する据付面３１を有し、その据付面３１を水平面に沿う基準面として、前記固定支点部の少なくとも１つが据付面３１の一端縁３１ａ側でベースユニット２の重心Ｃよりも高い位置に設けられていると共に、前記固定支点部の少なくとも他の一つが据付面３１の他端縁３１ｂ側でベースユニット２の重心Ｃよりも低い位置に設けられている。【選択図】図１
2011210309.tif 000002
【特許請求の範囲】
【請求項１】
シャーシと、
前記シャーシに結合する少なくとも３つの固定支点部と、ベースユニットを固定する据付面とを有し、前記ベースユニットを固定する剛性マウント部材と、
を備え、
前記少なくとも３つの固定支点部は、前記据付面を水平面に沿うようにさせたとき、前記ベースユニットの重心よりも高い位置に位置し前記据付面の一端縁側に設けられている第１の固定支点部と、前記ベースユニットの重心よりも低い位置に位置し前記据付面の他端縁側に設けられている第２の固定支点部とを含むことを特徴とする電子機器の取付構造。
【請求項２】
前記第１の固定支点部と前記第２の固定支点部とは、前記ベースユニットの重心を通る同一平面上に位置していることを特徴とする請求項１記載の電子機器の取付構造。
【請求項３】
前記ベースユニットは、ディスク状の情報記録媒体を回転駆動させるターンテーブルを含む構造物であり、
前記ベースユニットの重心は、前記ターンテーブルで前記情報記録媒体が回転可能に保持された状態における重心であることを特徴とする請求項１、又は２記載の電子機器の取付構造。
【請求項４】
前記ベースユニットは、前記情報記録媒体に記録されている情報を読み出すための光ピックアップを含む構造物であり、
前記ベースユニットの重心は、前記情報記録媒体における情報記録領域のうち、前記情報記録媒体の中心位置から最も離れた位置に記録されている情報を読み出すときの位置に、前記光ピックアップがあるときの重心であることを特徴とする請求項３記載の電子機器の取付構造。
【請求項５】
シャーシと、
前記シャーシに結合する少なくとも３つの固定支点部と、ベースユニットを固定する据付面とを有し、前記ベースユニットを固定する剛性マウント部材と、
を備え、
前記ベースユニットは、ディスク状の情報記録媒体を回転駆動させるターンテーブルを含む構造物であり、
前記少なくとも３つの固定支点部は、前記据付面を水平面に沿うようにさせた場合において前記ターンテーブルが前記情報記録媒体を回転可能に保持したときの、前記ベースユニットと前記情報記録媒体とを合わせた一体物の重心よりも高い位置に位置し前記据付面の一端縁側に設けられている第１の固定支点部と、前記一体物の重心よりも低い位置に位置し前記据付面の他端縁側に設けられている第２の固定支点部とを含むことを特徴とする電子機器の取付構造。
【請求項６】
前記第１の固定支点部と前記第２の固定支点部とは、前記ターンテーブルが前記情報記録媒体を回転可能に保持したときの、前記一体物の重心を通る同一平面上に位置していることを特徴とする請求項５記載の電子機器の取付構造。
【請求項７】
前記ベースユニットは、前記情報記録媒体に記録されている情報を読み出すための光ピックアップを含む構造物であり、
前記一体物の重心は、前記情報記録媒体における情報記録領域のうち、前記情報記録媒体の中心位置から最も離れた位置において、前記光ピックアップが情報を読み出しているときの重心であることを特徴とする請求項５、又は６記載の電子機器の取付構造。
【請求項８】
シャーシと、
前記シャーシに結合する少なくとも３つの固定支点部と、ベースユニットを固定する据付面とを有し、前記ベースユニットを固定する剛性マウント部材と、
を備え、
前記ベースユニットは、ディスク状の情報記録媒体を回転駆動させるターンテーブルと、前記情報記録媒体に記録されている情報を読み出すための光ピックアップとを有するトラバースユニットを含む構造物であり、
前記トラバースユニットは、前記ベースユニットの内部において弾性支持されており、
前記少なくとも３つの固定支点部は、前記据付面を水平面に沿うようにさせたとき、前記トラバースユニットの重心よりも高い位置に位置し前記据付面の一端縁側に設けられている第１の固定支点部と、前記トラバースユニットの重心よりも低い位置に位置し前記据付面の他端縁側に設けられている第２の固定支点部とを含むことを特徴とする電子機器の取付構造。
【請求項９】
前記第１の固定支点部と前記第２の固定支点部とは、前記トラバースユニットの重心を通る同一平面上に位置していることを特徴とする請求項８記載の電子機器の取付構造。
【請求項１０】
前記トラバースユニットの重心は、前記ターンテーブルで前記情報記録媒体が回転可能に保持された状態における重心であることを特徴とする請求項８、又は９記載の電子機器の取付構造。
【請求項１１】
前記トラバースユニットの重心は、前記情報記録媒体における情報記録領域のうち、前記情報記録媒体の中心位置から最も離れた位置に記録されている情報を読み出すときの位置に、前記光ピックアップがあるときの重心であることを特徴とする請求項１０記載の電子機器の取付構造。
【請求項１２】
シャーシと、
前記シャーシに結合する少なくとも３つの固定支点部と、ベースユニットを固定する据付面とを有し、前記ベースユニットを固定する剛性マウント部材と、
を備え、
前記ベースユニットは、ディスク状の情報記録媒体を回転駆動させるターンテーブルと、前記情報記録媒体に記録されている情報を読み出すための光ピックアップとを有するトラバースユニットを含む構造物であり、
前記トラバースユニットは、前記ベースユニットの内部において弾性支持されており、
前記少なくとも３つの固定支点部は、前記据付面を水平面に沿うようにさせた場合において前記ターンテーブルが前記情報記録媒体を回転可能に保持したときの、前記トラバースユニットと前記情報記録媒体とを合わせた一体物の重心よりも高い位置に位置し前記据付面の一端縁側に設けられている第１の固定支点部と、前記一体物の重心よりも低い位置に位置し前記据付面の他端縁側に設けられている第２の固定支点部とを含むことを特徴とする電子機器の取付構造。
【請求項１３】
前記第１の固定支点部と前記第２の固定支点部とは、前記一体物の重心を通る同一平面上に位置していることを特徴とする請求項１２記載の電子機器の取付構造。
【請求項１４】
前記一体物の重心は、前記情報記録媒体における情報記録領域のうち、前記情報記録媒体の中心位置から最も離れた位置において、前記光ピックアップが情報を読み出しているときの重心であることを特徴とする請求項１２、又は１３記載の電子機器の取付構造。
【請求項１５】
請求項１〜１４のいずれか１項に記載の電子機器の取付構造と、
前記ベースユニットと、
を有することを特徴とする電子装置。
【発明の詳細な説明】
【技術分野】
【０００１】
本発明は、車載用オーディオ機器など、主として振動環境下で用いられる電子機器に係わり、特に外的な衝撃に対応して耐振性能の向上を図った電子機器の取付構造、及びその取付構造を有する電子装置に関する。
【背景技術】
【０００２】
従来、電子機器を外的衝撃から保護するために、機器の耐衝撃性、耐振性を高める様々な工夫がされている。
【０００３】
例えば、機器ケース内の底面に４つのボルトを立て、その各ボルトにゴムダンパを介してフロッピー（登録商標）ディスクドライブユニットを締結するという耐振構造をもつ電子装置が知られている（特許文献１）。
【先行技術文献】
【特許文献】
【０００４】
【特許文献１】実開平０１−１２１１９４号公報
【発明の概要】
【発明が解決しようとする課題】
【０００５】
しかしながら、特許文献１では、ゴムダンパにより振動（特に高周波振動）がドライブユニットに伝播するのを抑制することはできても、ボルトの直交方向から振動（特に低周波振動）が作用した場合、ドライブユニットの下方に広がる同一平面上に立てられた４つのボルトの全てに同方向の曲げモーメントが作用するため、構造上横揺れに弱く、高周波振動もゴムダンパなくして好適に抑制することはできない。
【０００６】
本発明は以上のような事情に鑑みて成されたものであり、その目的はゴムダンパを用いなくても、電子機器内の主要構造物への振動伝播を好適に抑制できるようにすることにある。
【課題を解決するための手段】
【０００７】
本発明は上記目的を達成するため、以下に記載するような電子機器の取付構造及びその取付構造を有する電子装置を提供する。
（１）
シャーシと、
前記シャーシに結合する少なくとも３つの固定支点部と、ベースユニットを固定する据付面とを有し、前記ベースユニットを固定する剛性マウント部材と、
を備え、
前記少なくとも３つの固定支点部は、前記据付面を水平面に沿うようにさせたとき、前記ベースユニットの重心よりも高い位置に位置し前記据付面の一端縁側に設けられている第１の固定支点部と、前記ベースユニットの重心よりも低い位置に位置し前記据付面の他端縁側に設けられている第２の固定支点部とを含むことを特徴とする電子機器の取付構造。
（２）
前記第１の固定支点部と前記第２の固定支点部とは、前記ベースユニットの重心を通る同一平面上に位置していることを特徴とする上記（１）記載の電子機器の取付構造。
（３）
前記ベースユニットは、ディスク状の情報記録媒体を回転駆動させるターンテーブルを含む構造物であり、
前記ベースユニットの重心は、前記ターンテーブルで前記情報記録媒体が回転可能に保持された状態における重心であることを特徴とする上記（１）、又は（２）記載の電子機器の取付構造。
（４）
前記ベースユニットは、前記情報記録媒体に記録されている情報を読み出すための光ピックアップを含む構造物であり、
前記ベースユニットの重心は、前記情報記録媒体における情報記録領域のうち、前記情報記録媒体の中心位置から最も離れた位置に記録されている情報を読み出すときの位置に、前記光ピックアップがあるときの重心であることを特徴とする上記（３）記載の電子機器の取付構造。
（５）
シャーシと、
前記シャーシに結合する少なくとも３つの固定支点部と、ベースユニットを固定する据付面とを有し、前記ベースユニットを固定する剛性マウント部材と、
を備え、
前記ベースユニットは、ディスク状の情報記録媒体を回転駆動させるターンテーブルを含む構造物であり、
前記少なくとも３つの固定支点部は、前記据付面を水平面に沿うようにさせた場合において前記ターンテーブルが前記情報記録媒体を回転可能に保持したときの、前記ベースユニットと前記情報記録媒体とを合わせた一体物の重心よりも高い位置に位置し前記据付面の一端縁側に設けられている第１の固定支点部と、前記一体物の重心よりも低い位置に位置し前記据付面の他端縁側に設けられている第２の固定支点部とを含むことを特徴とする電子機器の取付構造。
（６）
前記第１の固定支点部と前記第２の固定支点部とは、前記ターンテーブルが前記情報記録媒体を回転可能に保持したときの、前記一体物の重心を通る同一平面上に位置していることを特徴とする上記（５）記載の電子機器の取付構造。
（７）
前記ベースユニットは、前記情報記録媒体に記録されている情報を読み出すための光ピックアップを含む構造物であり、
前記一体物の重心は、前記情報記録媒体における情報記録領域のうち、前記情報記録媒体の中心位置から最も離れた位置において、前記光ピックアップが情報を読み出しているときの重心であることを特徴とする上記（５）、又は（６）記載の電子機器の取付構造。
（８）
シャーシと、
前記シャーシに結合する少なくとも３つの固定支点部と、ベースユニットを固定する据付面とを有し、前記ベースユニットを固定する剛性マウント部材と、
を備え、
前記ベースユニットは、ディスク状の情報記録媒体を回転駆動させるターンテーブルと、前記情報記録媒体に記録されている情報を読み出すための光ピックアップとを有するトラバースユニットを含む構造物であり、
前記トラバースユニットは、前記ベースユニットの内部において弾性支持されており、
前記少なくとも３つの固定支点部は、前記据付面を水平面に沿うようにさせたとき、前記トラバースユニットの重心よりも高い位置に位置し前記据付面の一端縁側に設けられている第１の固定支点部と、前記トラバースユニットの重心よりも低い位置に位置し前記据付面の他端縁側に設けられている第２の固定支点部とを含むことを特徴とする電子機器の取付構造。
（９）
前記第１の固定支点部と前記第２の固定支点部とは、前記トラバースユニットの重心を通る同一平面上に位置していることを特徴とする上記（８）記載の電子機器の取付構造。
（１０）
前記トラバースユニットの重心は、前記ターンテーブルで前記情報記録媒体が回転可能に保持された状態における重心であることを特徴とする上記（８）、又は（９）記載の電子機器の取付構造。
（１１）
前記トラバースユニットの重心は、前記情報記録媒体における情報記録領域のうち、前記情報記録媒体の中心位置から最も離れた位置に記録されている情報を読み出すときの位置に、前記光ピックアップがあるときの重心であることを特徴とする上記（１０）記載の電子機器の取付構造。
（１２）
シャーシと、
前記シャーシに結合する少なくとも３つの固定支点部と、ベースユニットを固定する据付面とを有し、前記ベースユニットを固定する剛性マウント部材と、
を備え、
前記ベースユニットは、ディスク状の情報記録媒体を回転駆動させるターンテーブルと、前記情報記録媒体に記録されている情報を読み出すための光ピックアップとを有するトラバースユニットを含む構造物であり、
前記トラバースユニットは、前記ベースユニットの内部において弾性支持されており、
前記少なくとも３つの固定支点部は、前記据付面を水平面に沿うようにさせた場合において前記ターンテーブルが前記情報記録媒体を回転可能に保持したときの、前記トラバースユニットと前記情報記録媒体とを合わせた一体物の重心よりも高い位置に位置し前記据付面の一端縁側に設けられている第１の固定支点部と、前記一体物の重心よりも低い位置に位置し前記据付面の他端縁側に設けられている第２の固定支点部とを含むことを特徴とする電子機器の取付構造。
（１３）
前記第１の固定支点部と前記第２の固定支点部とは、前記一体物の重心を通る同一平面上に位置していることを特徴とする上記（１２）記載の電子機器の取付構造。
（１４）
前記一体物の重心は、前記情報記録媒体における情報記録領域のうち、前記情報記録媒体の中心位置から最も離れた位置において、前記光ピックアップが情報を読み出しているときの重心であることを特徴とする上記（１２）、又は（１３）記載の電子機器の取付構造。
（１５）
上記（１）〜（１４）のいずれかに記載の電子機器の取付構造と、
前記ベースユニットと、
を有することを特徴とする電子装置。
【発明の効果】
【０００８】
本発明によれば、取り分け据付面に沿う前後左右方向からの衝撃荷重に対する耐振性能に優れ、ゴムダンパを用いずにベースユニットへの振動伝播も好適に抑制することができる。
【図面の簡単な説明】
【０００９】
【図１】本発明の一実施形態を示す斜視透視図
【図２】シャーシの一形態を示す斜視分解図
【図３】本発明に係るベースユニットの内部構造を示す概略図
【図４】剛性マウント部材を示す平面図
【図５】ベースユニットが固定された剛性マウント部材の斜視図
【図６】固定支点部の位置を示す説明図
【図７】剛性マウント部材の断面概略図
【図８】本発明に係る剛性マウント部材に固定したベースユニットの振動態様を示すグラフ
【図９】本発明に係るベースユニット内での光ピックアップの振動態様を示すグラフ
【図１０】本発明に係る剛性マウント部材の動的応力を示すグラフ
【図１１】本発明の剛性マウント部材に対応する比較用モデルを示す斜視図
【図１２】図１１の比較用モデルでのベースユニットの振動態様を示すグラフ
【図１３】図１１の比較用モデルでの光ピックアップの振動態様を示すグラフ
【図１４】図１１の比較用モデルの動的応力を示すグラフ
【図１５】本発明に係る剛性マウント部材の変更例を示す図
【図１６】本発明に係る剛性マウント部材の他の変更例を示す図
【発明を実施するための形態】
【００１０】
以下、図面に基づき本発明を詳しく説明する。図１は本発明の一実施形態として、ディスク状の情報記録媒体（以下、ディスクと称する）に楽曲などの情報を記録したり、その記録情報を再生したりする情報記録再生装置を示す。
【００１１】
図１において、１は外装ケースとなるシャーシ、２はシャーシ１内に設けられるベースユニット（電子機器）であり、このベースユニット２は剛性マウント部材３に固定され、その剛性マント部材３はネジ４によりシャーシ１に取り付けられている。つまり、ベースユニット２は、剛性マウント部材３を介してシャーシ１に固定されている。尚、本発明でいう電子機器とは、剛性マウント部材３に固定されるもの（本例においてベースユニット２）であり、その電子機器とその取付構造（シャーシ１および剛性マウント部材３を有する構造体）を備える構造物を電子装置と総称する。
【００１２】
シャーシ１は、金属板をプレス加工するなどして形成されるものであり、その形態は図２に示されるよう背面板１１および天蓋１２を含む箱型とされている。特に、本例において、シャーシ１には、その前側上部を内側に折り曲げた屈曲片１３が形成され、その屈曲片１３と側面の下側後部にはネジ４をねじ込むためのネジ孔１４が穿設されている。
【００１３】
また、図２および図３に示されるように、シャーシ１の前端には横長のスロット５１を有するフロントパネル５が取り付けられ、そのスロット５１を通じてディスクの出し入れが可能とされている。
【００１４】
図３から明らかなように、ベースユニット２は、スロット５１を通じて内部に搬入されたディスクＤの中心部を支持して当該ディスクを回転駆動させるターンテーブル２１、ターンテーブル２１で支持されたディスクＤの盤面（以下、ディスク面とする）に沿ってその半径方向に移動する光ピックアップ２２、ターンテーブル２１と協同してディスクＤの中心部をチャッキングする回転自在なクランプ盤２３、及びディスクＤの搬出入を行うディスク搬送部（本例において上下一対の送りローラ２４）を備えた構造物であり、このうちターンテーブル２１および光ピックアップ２２は、昇降台２５に組み付けられてターンテーブル２１の軸線方向に沿って昇降可能とされている。
【００１５】
そして、ディスクＤの回転駆動に際して昇降台２５がクランプ盤２３に向けて上昇し、これによりターンテーブル２１とクランプ盤２３でディスクＤのチャッキングが行われる構成とされている。従って、ベースユニット２の重心は定位になく、上下方向に変位する。すなわち、ターンテーブル２１でディスクＤが回転可能に保持された状態ではベースユニット２の重心が上方側にあり、昇降台２５が降下している時やディスクＤの未装填時では、ディスクＤを回転可能に保持している状態よりもベースユニット２の重心が下方に移動する。
【００１６】
ここで、ターンテーブル２１でディスクＤが回転可能に保持された状態とは、昇降台２５が上昇端にあって、ディスクＤがターンテーブル２１とクランプ盤２３とでチャッキングされた状態であり、この状態でディスクＤが回転されていても回転されていなくともベースユニット２の重心位置は変わらない。
【００１７】
尚、ディスクＤの中心部をチャッキングする方式は、上記のような方式に限定されず、回転自在なクランプ盤が昇降装置（図示せず）に組み付けられてターンテーブルの軸線方向に沿って昇降する構造を用いてもよい。例えば、本出願人が先に出願した特開２００６−１８５５２８号公報に開示されているようなディスククランプ機構を用いることもでき、その種のチャッキング方式を採用すれば、ディスクのチャッキング前とチャッキング後での重心位置の変化をより小さくすることができる。
【００１８】
加えて、ディスクＤは光ピックアップ２２による情報の読み出しや書き込みに際して回転され、このときディスクＤの半径方向に光ピックアップ２２が移動されるために、ベースユニット２の重心も厳密にはディスクＤの半径方向に変位するが、光ピックアップ２２はベースユニット２の全重量に対して極軽量であるから、光ピックアップ２２がディスクＤの半径方向に移動することによる重心の変位は小さい。
【００１９】
また、光ピックアップ２２が内周にある状態、すなわち光ピックアップ２２がディスク中心に近い位置で情報の読み出しや書き込みをしている状態では、ディスクの回転中心から光ピックアップ２２の質量中心までの距離が短いために、ディスク面と光ピックアップ２２のレーザ光射出面との距離変化が小さくなる。このため、情報の読み出しや書き込みのエラーが少ない。それに対して、光ピックアップ２２が外周にある状態、すなわち光ピックアップ２２がディスク中心から遠い位置で情報の読み出しや書き込みをしている状態では、ディスクの回転中心から光ピックアップ２２の質量中心までの距離が長いために、振動による加速度が生ずると、ディスク面と光ピックアップ２２のレーザ光射出面との距離変化が大きくなることから、情報の読み出しや書き込みのエラーが多くなる。
【００２０】
従って、本発明の取付構造を用いず、シャーシにゴムダンパを介してベースユニットを取り付けるだけの構造では、光ピックアップ２２が外周にある場合に振動による加速度が増幅されるため、情報の読み出しや書き込みのエラーがさらに多くなる虞がある。
【００２１】
この点、本発明の取付構造を用いれば、特定構造の剛性マウント部材にベースユニットが固定されることにより、光ピックアップ２２の位置による影響を小さく抑え、光ピックアップ２２がディスクの半径方向に移動することによる重心の変位をベースユニット２の振動抑制上の観点において無視することもできる。
【００２２】
次に、剛性マウント部材３について言及すれば、係る剛性マウント部材３は、シャーシ１と同じく金属板をプレス加工するなどして形成されるもので、ベースユニット２を固定する据付面３１とその一端縁３１ａ（前端縁）より直角に立ち上がる壁面部３２とを有する断面略Ｌ字形の形態とされている。
【００２３】
図４〜図６から明らかなように、据付面３１はベースユニット２の底面より若干大きな面積を有する平坦面であり、その左右両側には下向きに折り曲げられた前後一対の脚片３３が連ねられ、その各脚片３３に回路基板６（図４では省略）がネジ止めされている。回路基板６は、ベースユニット２との間で信号を遣り取りするべく種々の電子部品を実装した制御用プリント基板であり、ベースユニット２とは図示せぬ配線を介して電気的に接続されている。尚、ベースユニット２が回路基板６を有するような構成にしてもよい。また、据付面３１が平坦であることを例とするが、これに限らず、凹凸形状を有する据付面、階段形状を有する据付面等であってもよい。
【００２４】
また、剛性マウント部材３の壁面部３２には、図２および図３に示したフロントパネル５のスロット５１に対応してベースユニット２内に連通する横長の長孔３２ａが穿設されており、これによりベースユニット２の内外でディスクの遣り取りが可能とされている。
【００２５】
加えて、剛性マウント部材３には、据付面３１の両側縁後部と壁面部３２の上縁両側より張り出す４つの突片３４，３５が形成され、その各突片３４，３５にそれぞれ貫通孔３４ａ，３５ａが穿設されている。それら貫通孔３４ａ，３５ａとその周縁部分は、シャーシ１に結合するための固定支点部となるものであり、その各貫通孔３４ａ，３５ａはシャーシ１に穿設したネジ孔１４（図２参照）に対応している。特に、それら貫通孔３４ａ，３５ａは、ベースユニット２の周辺にあってベースユニット２を囲むように配置されている。
【００２６】
ここに、本例では剛性マウント部材３の据付面３１を水平面に沿う基準面として（据付面３１が立てられる使用態様の場合でも、これを水平状態としてみて）、突片３５に穿設した前側２つ（据付面３１の一端縁３１ａ側）の貫通孔３５ａの中心が据付面３１に固定したベースユニット２の重心よりも高い位置に設けられ、突片３４に穿設した後ろ側２つ（据付面３１の他端縁３１ｂ側）の貫通孔３４ａの中心が据付面３１に固定したベースユニット２の重心よりも低い位置に設けられている。特に、図６から明らかなように、貫通孔３４ａ，３５ａは各々その中心がベースユニット２の重心Ｃを通る仮想の同一平面Ｆ上に位置付けられることが好ましく、しかも重心Ｃを通って平面Ｆに直交する面が貫通孔３４ａ，３４ａおよび貫通孔３５ａ，３５ａを結ぶ線分の中点Ａ，Ｂを通り、その中点Ａ，Ｂと重心Ｃとの距離Ｌ１，Ｌ２が同一とされていることが好ましい。
【００２７】
なお、据付面３１が水平面に沿っているとは、据付面３１が水平面と平行になっていることを意味する。また、本実施形態においては、据付面３１を水平面に沿う基準面としたときの、重心に対する固定支点部の位置について説明するが、これは、ベースユニット（電子機器）を使用する際に、据付面３１を水平面に沿うような姿勢にして使用することが最も多いためである。よって、据付面３１を水平面に沿うようにした状態を基準とすることに限らず、ユーザに使用されるときのベースユニット（電子機器）の姿勢における重心の位置を基準に固定支点部の位置を決めてもよい。据付面３１を水平面に沿う基準面とすることの要旨はユーザが電子機器を使用する際の電子機器の姿勢を規定するためである。
【００２８】
これによれば、各固定支点部にかかる負荷を均等にすることができる。また、例えばベースユニット２に前方（図７の矢印方向）から衝撃荷重が作用した場合、ベースユニット２が固定された剛性マウント部材３には、シャーシ１との結合点である前側高位の貫通孔３５ａの周辺において重心Ｃを中心とする図７の反時計回りの回転モーメントが作用し、後ろ側低位の貫通孔３４ａの周辺では重心Ｃを中心とする図７の時計回りの回転モーメントが作用するために、ディスクに情報を書き込んだりディスクから情報を読み出したりしている最中に剛性マウント部材３とベースユニット２に振動が発生し難く、それ故に情報の記録再生を支障なく行え、しかも４つの固定支点部に衝撃荷重が均等に分散されるために、応力集中による剛性マウント部材３の破損を防止することが可能となる。尚、図３、図４、及び図７において、７はベースユニット２を剛性マウント部材３に固定するためのアングルプレートである。
【００２９】
尚、図６などに示される重心Ｃは、上記のようにターンテーブルでディスクが回転可能に保持された状態（ディスクチャッキング状態）での重心であるが、好ましくはディスクの質量も考慮した重心である。つまり、ベースユニット２とディスクＤとを合わせた物体である一体物を想定したときのその一体物の重心であり、その重心Ｃを通る同一平面Ｆ上に貫通孔３４ａ，３５ａが位置付けられている構成では、ベースユニット２への振動伝播をより好適に抑制することができる。特に、ターンテーブル２１でディスクＤが回転可能に保持された状態での重心を基に固定支点部の位置設定がされていれば、情報の読み書きが行われている最中でのベースユニットの振動を重点的に抑制できるため、装置の信頼性を向上させ得る。
【００３０】
また、ベースユニット２が、トラバースユニット（ターンテーブル２１及び光ピックアップ２２を一体として備えるユニット）をベースユニット２の内部でベースユニット２の筐体にゴムダンパなどを介して弾性支持した構成（フローティングされた構成）とされる場合、前述した重心Ｃは前記トラバースユニットの重心とされることが好ましく、この場合もディスクチャッキング状態でのディスクの質量を考慮した重心であることがより好ましい。つまり、トラバースユニットがベースユニット２の内部に弾性支持されている構造のベースユニット２である場合、上記重心Ｃは、トラバースユニットとディスクＤとを合わせた物体である一体物を想定したときのその一体物の重心であることが好ましい。これによれば、ベースユニット２の筐体が振動した場合でも、その主要部を構成するトラバースユニットへの振動伝播がゴムダンパにより抑制される上、高速回転されるディスクＤの慣性力も手伝ってトラバースユニットの振動が抑制されるために、情報の読み出しや書き込みのエラーを少なくすることができる。
【００３１】
加えて、前述のように、光ピックアップ２２が外周にある状態では、情報の読み出しや書き込みのエラーが多くなる傾向にあるため、前述した重心はディスクの情報記録領域のうち、中心位置から最も離れた位置で光ピックアップが情報を読み出しているときの重心であることが、ベースユニット２の振動抑制上さらに好ましい。
【００３２】
尚、各固定支点部のうち少なくとも一つを、以上説明してきたような重心よりも高い位置に設け、各固定支点部のうちの他の一つを、以上説明してきたような重心よりも低い位置に設けることで、ベースユニットへの振動伝播も好適に抑制することができる。また、その固定支点部が、以上説明してきたような重心を通る仮想の同一平面上に位置する構成にすれば、さらに好適にベースユニットへの振動伝播を抑制することができる。
【００３３】
ここに、以上のように構成される本願装置について、左右方向（図１のＸ方向）、前後方向（図１のＹ方向）、および上下方向（図１のＺ方向）に加振する振動試験を行ったところ、光ピックアップ近傍におけるベースユニット２の表面部において、図８のように上下方向の加振時に周波数１８７Ｈｚで加速度が最大となることが認められたものの、光ピックアップの中心部に作用する加速度は、図９のようにＸＹＺ方向のいずれの加振でも３５Ｈｚ前後の加振時点をピークに漸減し、ディスクに記録された楽曲を再生しながらの試験において音飛びの発生に至るような情報の読み出しや書き込みのエラーは認められなかった。また、剛性マウント部材３に、ＸＹＺ方向のそれぞれについて加速度のピークに対応する周波数（共振周波数）を与え、シャーシ１との結合部付近（突片３５，３５の部分各１箇所と突片３４，３４の並び方向に沿う６箇所）における８箇所での剛性マウント部材３の動的応力（ミーゼス応力）を調べたところ、図１０のように、いずれの箇所でも応力は小さく、すなわち応力が好適に分散されており、優れた耐振性を有することが認められた。
【００３４】
一方、比較として、図１１に示されるような剛性マウント部材３０にベースユニット２を固定し、上記と同様の振動試験を行ったところ、１００〜２００Ｈｚの周波数帯域において、左右方向（図１１のＸ方向）、前後方向（図１１のＹ方向）、および上下方向（図１１のＺ方向）のいずれの加振でも、図１２および図１３（図８、図９、図１２、図１３の縦軸スケールは同じ）のように光ピックアップ近傍におけるベースユニット２の表面部や光ピックアップの中心部に大きな加速度の発生が認められた。また、剛性マウント部材３０に、ＸＹＺ方向のそれぞれについて加速度のピークに対応する周波数（共振周波数）を与え、上記と同様にシャーシとの結合部付近における８箇所での剛性マウント部材３０の動的応力（ミーゼス応力）を調べたところ、図１４のように、いずれの箇所でも応力は大きく、シャーシとの結合部付近に応力集中が生ずることが確認された。
【００３５】
尚、比較用モデルとしての剛性マウント部材３０は、シャーシと結合する４箇所（図１１のＪ１〜Ｊ４）全てをベースユニット２の重心より高い同一平面Ｆ上に設定したものであるが、この種の剛性マウント部材３０に比べ、本発明に係る剛性マウント部材３では上記の試験結果から耐振性能を大幅に改善できると言える。また、本発明によれば、固定支点部の少なくとも１つが据付面３１の一端縁側でベースユニット２の重心よりも高い位置に設けられ、固定支点部の少なくとも他の一つが据付面３１の他端縁側でベースユニット２の重心よりも低い位置に設けられることから、剛性マウント部材３をシャーシ１に固定する場合にベースユニット２が作業障害となり難く、ベースユニット２を剛性マウント部材３に固定する際にも固定支点部箇所が作業障害となり難いという効果を得られる。
【００３６】
以上、本発明の好適な実施形態を図示して説明したが、シャーシ１に結合する剛性マウント部材３の固定支点部として、例えば図１５のように固定支点部となる２つの貫通孔３４ａ，３５ａを据付面３１の相対する両端縁中央から上下に折り曲げた突片３４，３５に穿設する一方、据付面３１の他の相対する両端縁中央より上向きに折り曲げた突片３６に貫通孔３６ａを穿設し、それら貫通孔３４ａ，３５ａ，３６ａの中心がベースユニット２の重心Ｃを通る同一平面上に位置するようにしてもよい。尚、図１５に示す例では、２つの貫通孔３６ａが、ベースユニット２に隣接する突片３６に対してベースユニット２の重心と同じ高さ位置に穿設されるため、ベースユニット２の着脱に際して突片３６が作業障害になるという不利があるものの、耐振性の観点では上記例と同様の性能を得ることができる。
【００３７】
また、固定支点部となる貫通孔は、４箇所に穿設することに限らず、図１６のように貫通孔３４ａ，３５ａを３箇所に穿設するだけでもよい。但し、図１６のように２つの貫通孔３５ａをベースユニット２の重心Ｃより高い位置で据付面３１の一端縁上に設けた場合、重心Ｃより低位の貫通孔３４ａは、貫通孔３５ａ，３５ａの中間点と重心Ｃとを通る直線上で据付面３１の他端側に設けることが好ましい。
【００３８】
要するに、固定支点部が最低限３つあり、このうち少なくとも１つが据付面３１の一端縁側でベースユニット２の重心Ｃよりも高い位置に設けられ、他の少なくとも一つが据付面３１の他端縁側でベースユニット２の重心Ｃよりも低い位置に設けられていればよい。
【００３９】
更に、それら固定支点部を含む平面がベースユニット２の重心Ｃ、又はその近くを通ることがより好ましいが、必ずしも重心の近くを通る必要は無く、上述のように固定支点部が最低限３つあり、このうち少なくとも１つが据付面３１の一端縁側でベースユニット２の重心Ｃよりも高い位置に設けられ、他の少なくとも一つが据付面３１の他端縁側でベースユニット２の重心Ｃよりも低い位置に設けられていればベースユニット２への振動伝播を好適に抑制することができる。
【００４０】
一方、本発明は、情報記録再生装置に限らず、機器本来の働きが振動によって大きく損なわれる虞のある電子機器に好適に用いることができる。例えば、情報再生装置、ハードディスクドライブ（ＨＤＤ）、各種計測機器、表示装置、音響装置、あるいはＣＰＵを有する制御装置などに好適に用いることができる。
【００４１】
また、上記ではゴムダンパを用いない構造を例に説明したが、ゴムダンパを介してシャーシ１と結合する部分があってもよい。
【符号の説明】
【００４２】
１  シャーシ
２  ベースユニット（電子機器）
２１  ターンテーブル
２２  光ピックアップ
２３  クランプ盤
３  剛性マウント部材
３１  据付面
３４，３５，３６  突片
３４ａ，３５ａ，３６ａ  貫通孔（固定支点部）
Ｄ  ディスク状の情報記録媒体
Ｃ  ベースユニットの重心
【図１】
2011210309.tif 000003
【図２】
2011210309.tif 000004
【図３】
2011210309.tif 000005
【図４】
2011210309.tif 000006
【図５】
2011210309.tif 000007
【図６】
2011210309.tif 000008
【図７】
2011210309.tif 000009
【図８】
2011210309.tif 000010
【図９】
2011210309.tif 000011
【図１０】
2011210309.tif 000012
【図１１】
2011210309.tif 000013
【図１２】
2011210309.tif 000014
【図１３】
2011210309.tif 000015
【図１４】
2011210309.tif 000016
【図１５】
2011210309.tif 000017
【図１６】
2011210309.tif 000018